(57)【要約】【課題】電力需要施設における電力消費を管理し、電力系統側からの節電要請をより確実に満たすことが可能な電力消費管理装置、電力消費管理システム、電力消費管理方法および電力消費管理プログラムを提供する。【解決手段】電力消費管理装置は、電力系統側から電力消費の目標を示す目標情報を取得する目標情報取得部と、期限を設定する期限管理部と、前記目標情報に基づいて、前記電力需要施設における電力消費に関する指示情報を前記電力需要施設に通知する指示部と、前記指示情報に対する応答内容を示す指示応答情報を前記電力需要施設から取得する応答情報取得部とを備え、前記目標情報は、前記目標の対象期間を含み、前記期限管理部は、同じ前記対象期間に対応する前記指示情報に対して前記電力需要施設が異なる前記応答内容を示す前記指示応答情報を自己の電力消費管理装置に通知できる変更期限を設定する。【選択図】図６
2015226434.tif 000002
【特許請求の範囲】
【請求項１】
電力需要施設における電力消費を管理する電力消費管理装置であって、
電力系統側から電力消費の目標を示す目標情報を取得する目標情報取得部と、
前記目標情報に関する期限を設定する期限管理部と、
前記目標情報に基づいて、前記電力需要施設における電力消費に関する指示情報を前記電力需要施設に通知する指示部と、
前記指示情報に対する応答内容を示す指示応答情報を前記電力需要施設から取得する応答情報取得部とを備え、
前記目標情報は、前記目標の対象期間を含み、
前記期限管理部は、同じ前記対象期間に対応する前記指示情報に対して前記電力需要施設が異なる前記応答内容を示す前記指示応答情報を自己の電力消費管理装置に通知できる変更期限を設定する、電力消費管理装置。
【請求項２】
前記電力消費管理装置は、さらに、
前記期限管理部によって設定された前記変更期限を示す画面の情報を作成する表示情報作成部を備える、請求項１に記載の電力消費管理装置。
【請求項３】
前記表示情報作成部は、前記電力需要施設における前記指示情報の内容の受け入れの可否と前記変更期限とを示す画面の情報を作成する、請求項２に記載の電力消費管理装置。
【請求項４】
前記期限管理部は、前記変更期限の到来を判断し、
前記期限管理部によって前記到来が判断された後、前記変更期限が到来した旨の期限到来情報を前記電力需要施設に通知する、請求項１から請求項３のいずれか１項に記載の電力消費管理装置。
【請求項５】
前記指示部は、前記電力需要施設から情報の送信を要求するための送信要求情報の通知を受けて、前記指示情報を前記電力需要施設に通知し、
前記指示部は、前記変更期限の到来した後に前記送信要求情報の通知を受けた場合、前記指示応答情報の送信が不要である旨を含む前記指示情報を前記期限到来情報として前記電力需要施設に通知する、請求項４に記載の電力消費管理装置。
【請求項６】
電力需要施設における電力消費を管理する電力消費管理装置と、
前記電力需要施設に設けられた需要家装置とを備え、
前記電力消費管理装置は、電力系統側から電力消費の目標を示す目標情報を取得し、取得した前記目標情報に基づいて、前記電力需要施設における電力消費に関する指示情報を前記需要家装置へ送信し、
前記需要家装置は、前記指示情報を前記電力消費管理装置から受信し、受信した前記指示情報に対する応答内容を示す指示応答情報を前記電力消費管理装置へ送信し、
前記目標情報は、前記目標の対象期間を含み、
前記電力消費管理装置は、同じ前記対象期間に対応する前記指示情報に対して前記需要家装置が異なる前記応答内容を示す前記指示応答情報を自己へ送信できる変更期限を設定する、電力消費管理システム。
【請求項７】
電力需要施設における電力消費を管理する電力消費管理装置における電力消費管理方法であって、
電力系統側から電力消費の目標を示す目標情報を取得するステップと、
前記目標情報に基づいて、前記電力需要施設における電力消費に関する指示情報を前記電力需要施設に通知するステップと、
前記指示情報に対する応答内容を示す指示応答情報を前記電力需要施設から取得するステップとを含み、
前記目標情報は、前記目標の対象期間を含み、
前記電力消費管理方法は、さらに、
同じ前記対象期間に対応する前記指示情報に対して前記電力需要施設が異なる前記応答内容を示す前記指示応答情報を自己に通知できる変更期限を設定するステップを含む、電力消費管理方法。
【請求項８】
電力需要施設における電力消費を管理する電力消費管理装置と、前記電力需要施設に設けられた需要家装置とを備える電力消費管理システムにおける電力消費管理方法であって、
前記電力消費管理装置が、電力系統側から電力消費の目標を示す目標情報を取得し、取得した前記目標情報に基づいて、前記電力需要施設における電力消費に関する指示情報を前記需要家装置へ送信するステップと、
前記需要家装置が、前記指示情報を前記電力消費管理装置から受信し、受信した前記指示情報に対する応答内容を示す指示応答情報を前記電力消費管理装置へ送信するステップとを含み、
前記目標情報は、前記目標の対象期間を含み、
前記電力消費管理方法は、さらに、
前記電力消費管理装置が、同じ前記対象期間に対応する前記指示情報に対して前記需要家装置が異なる前記応答内容を示す前記指示応答情報を自己へ送信できる変更期限を設定するステップを含む、電力消費管理方法。
【請求項９】
電力需要施設における電力消費を管理する電力消費管理装置において用いられる電力消費管理プログラムであって、コンピュータに、
電力系統側から電力消費の目標を示す目標情報を取得するステップと、
前記目標情報に基づいて、前記電力需要施設における電力消費に関する指示情報を前記電力需要施設に通知するステップと、
前記指示情報に対する応答内容を示す指示応答情報を前記電力需要施設から取得するステップとを実行させるためのプログラムであり、
前記目標情報は、前記目標の対象期間を含み、
さらに、コンピュータに、
同じ前記対象期間に対応する前記指示情報に対して前記電力需要施設が異なる前記応答内容を示す前記指示応答情報を自己に通知できる変更期限を設定するステップを実行させるための、電力消費管理プログラム。
【請求項１０】
電力需要施設における電力消費を管理する電力消費管理装置と、前記電力需要施設に設けられた需要家装置とを備える電力消費管理システムにおいて用いられる電力消費管理プログラムであって、コンピュータに、
前記電力消費管理装置が、電力系統側から電力消費の目標を示す目標情報を取得し、取得した前記目標情報に基づいて、前記電力需要施設における電力消費に関する指示情報を前記需要家装置へ送信するステップと、
前記需要家装置が、前記指示情報を前記電力消費管理装置から受信し、受信した前記指示情報に対する応答内容を示す指示応答情報を前記電力消費管理装置へ送信するステップとを実行させるためのプログラムであり、
前記目標情報は、前記目標の対象期間を含み、
さらに、コンピュータに、
前記電力消費管理装置が、同じ前記対象期間に対応する前記指示情報に対して前記需要家装置が異なる前記応答内容を示す前記指示応答情報を自己へ送信できる変更期限を設定するステップを実行させるための、電力消費管理プログラム。
【発明の詳細な説明】
【技術分野】
【０００１】
本発明は、電力消費管理装置、電力消費管理システム、電力消費管理方法および電力消費管理プログラムに関し、特に、電力系統側から通知される電力消費の目標に基づいて電力需要施設に指示を与える電力消費管理装置、電力消費管理システム、電力消費管理方法および電力消費管理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、家庭またはビル等の電力需要施設へのエネルギーマネジメントシステムｘＥＭＳ（Ｅｎｅｒｇｙ  Ｍａｎａｇｅｍｅｎｔ  Ｓｙｓｔｅｍ）の導入が行われている。
【０００５】
ｘＥＭＳとは、電力需要施設における消費電力量を監視し、電力需要施設における機器または設備等の運転状態を管理することによって、電力需要施設における電力消費の抑制を図るためのシステムである。ｘＥＭＳは、家庭向けである場合、ＨＥＭＳ（Ｈｏｍｅ  Ｅｎｅｒｇｙ  Ｍａｎａｇｅｍｅｎｔ  Ｓｙｓｔｅｍ）となり、ビル向けである場合、ＢＥＭＳ（Ｂｕｉｌｄｉｎｇ  Ｅｎｅｒｇｙ  Ｍａｎａｇｅｍｅｎｔ  Ｓｙｓｔｅｍ）となる。
【０００６】
ｘＥＭＳは、たとえばアグリゲータと呼ばれる事業者と連携することによって電力需要の抑制を実現する。アグリゲータは、ｘＥＭＳを導入した電力需要施設に対してエネルギー管理支援サービスを提供する。
【先行技術文献】
【特許文献】
【０００７】
【特許文献１】特開２０１２−２０５３５８号公報
【特許文献２】特開２０１３−１６１１４４号公報
【発明の概要】
【発明が解決しようとする課題】
【０００８】
たとえば、系統側事業者は、電力需給の逼迫が予測される場合に、アグリゲータに対して予め節電要請を行なう。そして、アグリゲータは、電力需要施設の需要家に対して節電要請を行なう。
【０００９】
しかしながら、電力需要施設の需要家が節電要請の対象期間において電力消費の抑制を行なうことが困難な場合もある。アグリゲータは、このような場合においても、系統側事業者からの節電要請を満たすように電力需要施設における消費電力の削減量を確保する必要がある。
【００１０】
この発明は、上述の課題を解決するためになされたもので、その目的は、電力需要施設における電力消費を管理し、電力系統側からの節電要請をより確実に満たすことが可能な電力消費管理装置、電力消費管理システム、電力消費管理方法および電力消費管理プログラムを提供することである。
【課題を解決するための手段】
【００１１】
（１）上記課題を解決するために、この発明のある局面に係る電力消費管理装置は、電力需要施設における電力消費を管理する電力消費管理装置であって、電力系統側から電力消費の目標を示す目標情報を取得する目標情報取得部と、前記目標情報に関する期限を設定する期限管理部と、前記目標情報に基づいて、前記電力需要施設における電力消費に関する指示情報を前記電力需要施設に通知する指示部と、前記指示情報に対する応答内容を示す指示応答情報を前記電力需要施設から取得する応答情報取得部とを備え、前記目標情報は、前記目標の対象期間を含み、前記期限管理部は、同じ前記対象期間に対応する前記指示情報に対して前記電力需要施設が異なる前記応答内容を示す前記指示応答情報を自己の電力消費管理装置に通知できる変更期限を設定する。
【００１２】
（６）上記課題を解決するために、この発明のある局面に係る電力消費管理システムは、電力需要施設における電力消費を管理する電力消費管理装置と、前記電力需要施設に設けられた需要家装置とを備え、前記電力消費管理装置は、電力系統側から電力消費の目標を示す目標情報を取得し、取得した前記目標情報に基づいて、前記電力需要施設における電力消費に関する指示情報を前記需要家装置へ送信し、前記需要家装置は、前記指示情報を前記電力消費管理装置から受信し、受信した前記指示情報に対する応答内容を示す指示応答情報を前記電力消費管理装置へ送信し、前記目標情報は、前記目標の対象期間を含み、
前記電力消費管理装置は、同じ前記対象期間に対応する前記指示情報に対して前記需要家装置が異なる前記応答内容を示す前記指示応答情報を自己へ送信できる変更期限を設定する。
【００１３】
（７）上記課題を解決するために、この発明のある局面に係る電力消費管理方法は、電力需要施設における電力消費を管理する電力消費管理装置における電力消費管理方法であって、電力系統側から電力消費の目標を示す目標情報を取得するステップと、前記目標情報に基づいて、前記電力需要施設における電力消費に関する指示情報を前記電力需要施設に通知するステップと、前記指示情報に対する応答内容を示す指示応答情報を前記電力需要施設から取得するステップとを含み、前記目標情報は、前記目標の対象期間を含み、
前記電力消費管理方法は、さらに、同じ前記対象期間に対応する前記指示情報に対して前記電力需要施設が異なる前記応答内容を示す前記指示応答情報を自己に通知できる変更期限を設定するステップを含む。
【００１４】
（８）またこの発明の別の局面に係る電力消費管理方法は、電力需要施設における電力消費を管理する電力消費管理装置と、前記電力需要施設に設けられた需要家装置とを備える電力消費管理システムにおける電力消費管理方法であって、前記電力消費管理装置が、電力系統側から電力消費の目標を示す目標情報を取得し、取得した前記目標情報に基づいて、前記電力需要施設における電力消費に関する指示情報を前記需要家装置へ送信するステップと、前記需要家装置が、前記指示情報を前記電力消費管理装置から受信し、受信した前記指示情報に対する応答内容を示す指示応答情報を前記電力消費管理装置へ送信するステップとを含み、前記目標情報は、前記目標の対象期間を含み、前記電力消費管理方法は、さらに、前記電力消費管理装置が、同じ前記対象期間に対応する前記指示情報に対して前記需要家装置が異なる前記応答内容を示す前記指示応答情報を自己へ送信できる変更期限を設定するステップを含む。
【００１５】
（９）上記課題を解決するために、この発明のある局面に係る電力消費管理プログラムは、電力需要施設における電力消費を管理する電力消費管理装置において用いられる電力消費管理プログラムであって、コンピュータに、電力系統側から電力消費の目標を示す目標情報を取得するステップと、前記目標情報に基づいて、前記電力需要施設における電力消費に関する指示情報を前記電力需要施設に通知するステップと、前記指示情報に対する応答内容を示す指示応答情報を前記電力需要施設から取得するステップとを実行させるためのプログラムであり、前記目標情報は、前記目標の対象期間を含み、さらに、コンピュータに、同じ前記対象期間に対応する前記指示情報に対して前記電力需要施設が異なる前記応答内容を示す前記指示応答情報を自己に通知できる変更期限を設定するステップを実行させるためのプログラムである。
【００１６】
（１０）またこの発明の別の局面に係る電力消費管理プログラムは、電力需要施設における電力消費を管理する電力消費管理装置と、前記電力需要施設に設けられた需要家装置とを備える電力消費管理システムにおいて用いられる電力消費管理プログラムであって、コンピュータに、前記電力消費管理装置が、電力系統側から電力消費の目標を示す目標情報を取得し、取得した前記目標情報に基づいて、前記電力需要施設における電力消費に関する指示情報を前記需要家装置へ送信するステップと、前記需要家装置が、前記指示情報を前記電力消費管理装置から受信し、受信した前記指示情報に対する応答内容を示す指示応答情報を前記電力消費管理装置へ送信するステップとを実行させるためのプログラムであり、前記目標情報は、前記目標の対象期間を含み、さらに、コンピュータに、前記電力消費管理装置が、同じ前記対象期間に対応する前記指示情報に対して前記需要家装置が異なる前記応答内容を示す前記指示応答情報を自己へ送信できる変更期限を設定するステップを実行させるためのプログラムである。
【００１７】
本発明は、このような特徴的な処理部を備える電力消費管理装置として実現することができるだけでなく、電力消費管理装置の一部または全部を実現する半導体集積回路として実現することができる。
【発明の効果】
【００１８】
本発明によれば、電力需要施設における電力消費を管理し、電力系統側からの節電要請をより確実に満たすことができる。
【図面の簡単な説明】
【００１９】
【図１】図１は、本発明の実施の形態に係る電力消費管理システムの概要を説明するための図である。
【図２】図２は、本発明の実施の形態に係る電力消費管理システムの構成を示す図である。
【図３】図３は、本発明の実施の形態に係る電力消費管理システムの適用例を示す図である。
【図４】図４は、本発明の実施の形態に係る電力消費管理システムにおける通信プロトコルの一例を示す図である。
【図５】図５は、本発明の実施の形態に係る電力消費管理システムにおける指示情報および指示応答情報の送信処理のシーケンスの一例を示す図である。
【図６】図６は、本発明の実施の形態に係る電力消費管理装置の構成を示す図である。
【図７】図７は、本発明の実施の形態に係る電力消費管理システムにおける最大応答時間について説明するための図である。
【図８】図８は、本発明の実施の形態に係る電力消費管理システムにおいて、通信端末装置の画面に表示される内容の一例を示す図である。
【図９】図９は、本発明の実施の形態に係る電力消費管理システムにおいて、予備需要家装置へ要応答指示情報が送信されるタイミングを説明するための図である。
【図１０】図１０は、本発明の実施の形態に係る電力消費管理システムにおける電力消費抑制処理のシーケンスの一例を示す図である。
【図１１】図１１は、本発明の実施の形態に係る電力消費管理システムにおける電力消費抑制処理のシーケンスの他の例を示す図である。
【発明を実施するための形態】
【００２０】
最初に、本発明の実施の形態の内容を列記して説明する。
【００２１】
（１）本発明の実施の形態に係る電力消費管理装置は、電力需要施設における電力消費を管理する電力消費管理装置であって、電力系統側から電力消費の目標を示す目標情報を取得する目標情報取得部と、前記目標情報に関する期限を設定する期限管理部と、前記目標情報に基づいて、前記電力需要施設における電力消費に関する指示情報を前記電力需要施設に通知する指示部と、前記指示情報に対する応答内容を示す指示応答情報を前記電力需要施設から取得する応答情報取得部とを備え、前記目標情報は、前記目標の対象期間を含み、前記期限管理部は、同じ前記対象期間に対応する前記指示情報に対して前記電力需要施設が異なる前記応答内容を示す前記指示応答情報を自己の電力消費管理装置に通知できる変更期限を設定する。
【００２２】
このように、変更期限を設定する構成により、たとえば、電力需要施設は内容を変更した指示応答情報を変更期限の到来後に通知することができなくなるため、指示情報に従って消費電力の削減を行う電力需要施設と消費電力の削減を行わない電力需要施設とを変更期限の到来時において確定させることができる。これにより、目標情報の示す目標を達成可能であるか否かの判断をより正確に行うことができる。そして、上記目標を達成することができないと判断した場合、たとえば上記目標の対象期間の開始までに適切な対策を講じることができる。したがって、電力需要施設における電力消費を管理し、電力系統側からの節電要請をより確実に満たすことができる。
【００２３】
（２）好ましくは、前記電力消費管理装置は、さらに、前記期限管理部によって設定された前記変更期限を示す画面の情報を作成する表示情報作成部を備える。
【００２４】
このような構成により、Ｗｅｂサイト等の汎用的な技術を用いて上記変更期限をユーザーに提示することができる。
【００２５】
（３）より好ましくは、前記表示情報作成部は、前記電力需要施設における前記指示情報の内容の受け入れの可否と前記変更期限とを示す画面の情報を作成する。
【００２６】
このような構成により、たとえば、上記対象期間においてユーザーの電力需要施設における機器が制御され、電力消費が抑制される予定であるか否かを当該ユーザーに提示することができる。
【００２７】
（４）好ましくは、前記期限管理部は、前記変更期限の到来を判断し、前記期限管理部によって前記到来が判断された後、前記変更期限が到来した旨の期限到来情報を前記電力需要施設に通知する。
【００２８】
このような構成により、たとえば変更期限の到来後に、必要に応じて適切な対策を講じることができ、また、変更期限の到来をユーザーに認識させることができる。
【００２９】
（５）より好ましくは、前記指示部は、前記電力需要施設から情報の送信を要求するための送信要求情報の通知を受けて、前記指示情報を前記電力需要施設に通知し、前記指示部は、前記変更期限の到来した後に前記送信要求情報の通知を受けた場合、前記指示応答情報の送信が不要である旨を含む前記指示情報を前記期限到来情報として前記電力需要施設に通知する。
【００３０】
このような構成により、たとえば、新たに情報を作成して送信することなく、電力消費管理装置から電力需要施設へ送信する既存の情報を用いて電力需要施設に変更期限の到来を通知することができる。
【００３１】
（６）本発明の実施の形態に係る電力消費管理システムは、電力需要施設における電力消費を管理する電力消費管理装置と、前記電力需要施設に設けられた需要家装置とを備え、前記電力消費管理装置は、電力系統側から電力消費の目標を示す目標情報を取得し、取得した前記目標情報に基づいて、前記電力需要施設における電力消費に関する指示情報を前記需要家装置へ送信し、前記需要家装置は、前記指示情報を前記電力消費管理装置から受信し、受信した前記指示情報に対する応答内容を示す指示応答情報を前記電力消費管理装置へ送信し、前記目標情報は、前記目標の対象期間を含み、前記電力消費管理装置は、同じ前記対象期間に対応する前記指示情報に対して前記需要家装置が異なる前記応答内容を示す前記指示応答情報を自己へ送信できる変更期限を設定する。
【００３２】
このように、変更期限を設定する構成により、たとえば、需要家装置は内容を変更した指示応答情報を変更期限の到来後に送信することができなくなるため、指示情報に従って消費電力の削減を行う電力需要施設と消費電力の削減を行わない電力需要施設とを変更期限の到来時において確定させることができる。これにより、目標情報の示す目標を達成可能であるか否かの判断をより正確に行うことができる。そして、上記目標を達成することができないと判断した場合、たとえば上記目標の対象期間の開始までに適切な対策を講じることができる。したがって、電力需要施設における電力消費を管理し、電力系統側からの節電要請をより確実に満たすことができる。
【００３３】
（７）本発明の実施の形態に係る電力消費管理方法は、電力需要施設における電力消費を管理する電力消費管理装置における電力消費管理方法であって、電力系統側から電力消費の目標を示す目標情報を取得するステップと、前記目標情報に基づいて、前記電力需要施設における電力消費に関する指示情報を前記電力需要施設に通知するステップと、前記指示情報に対する応答内容を示す指示応答情報を前記電力需要施設から取得するステップとを含み、前記目標情報は、前記目標の対象期間を含み、前記電力消費管理方法は、さらに、同じ前記対象期間に対応する前記指示情報に対して前記電力需要施設が異なる前記応答内容を示す前記指示応答情報を自己に通知できる変更期限を設定するステップを含む。
【００３４】
このように、変更期限を設定する構成により、たとえば、電力需要施設は内容を変更した指示応答情報を変更期限の到来後に通知することができなくなるため、指示情報に従って消費電力の削減を行う電力需要施設と消費電力の削減を行わない電力需要施設とを変更期限の到来時において確定させることができる。これにより、目標情報の示す目標を達成可能であるか否かの判断をより正確に行うことができる。そして、上記目標を達成することができないと判断した場合、たとえば上記目標の対象期間の開始までに適切な対策を講じることができる。したがって、電力需要施設における電力消費を管理し、電力系統側からの節電要請をより確実に満たすことができる。
【００３５】
（８）本発明の実施の形態に係る電力消費管理方法は、電力需要施設における電力消費を管理する電力消費管理装置と、前記電力需要施設に設けられた需要家装置とを備える電力消費管理システムにおける電力消費管理方法であって、前記電力消費管理装置が、電力系統側から電力消費の目標を示す目標情報を取得し、取得した前記目標情報に基づいて、前記電力需要施設における電力消費に関する指示情報を前記需要家装置へ送信するステップと、前記需要家装置が、前記指示情報を前記電力消費管理装置から受信し、受信した前記指示情報に対する応答内容を示す指示応答情報を前記電力消費管理装置へ送信するステップとを含み、前記目標情報は、前記目標の対象期間を含み、前記電力消費管理方法は、さらに、前記電力消費管理装置が、同じ前記対象期間に対応する前記指示情報に対して前記需要家装置が異なる前記応答内容を示す前記指示応答情報を自己へ送信できる変更期限を設定するステップを含む。
【００３６】
このように、変更期限を設定する構成により、たとえば、需要家装置は内容を変更した指示応答情報を変更期限の到来後に送信することができなくなるため、指示情報に従って消費電力の削減を行う電力需要施設と消費電力の削減を行わない電力需要施設とを変更期限の到来時において確定させることができる。これにより、目標情報の示す目標を達成可能であるか否かの判断をより正確に行うことができる。そして、上記目標を達成することができないと判断した場合、たとえば上記目標の対象期間の開始までに適切な対策を講じることができる。したがって、電力需要施設における電力消費を管理し、電力系統側からの節電要請をより確実に満たすことができる。
【００３７】
（９）本発明の実施の形態に係る電力消費管理プログラムは、電力需要施設における電力消費を管理する電力消費管理装置において用いられる電力消費管理プログラムであって、コンピュータに、電力系統側から電力消費の目標を示す目標情報を取得するステップと、前記目標情報に基づいて、前記電力需要施設における電力消費に関する指示情報を前記電力需要施設に通知するステップと、  前記指示情報に対する応答内容を示す指示応答情報を前記電力需要施設から取得するステップとを実行させるためのプログラムであり、前記目標情報は、前記目標の対象期間を含み、さらに、コンピュータに、同じ前記対象期間に対応する前記指示情報に対して前記電力需要施設が異なる前記応答内容を示す前記指示応答情報を自己に通知できる変更期限を設定するステップを実行させるためのプログラムである。
【００３８】
このように、変更期限を設定する構成により、たとえば、電力需要施設は内容を変更した指示応答情報を変更期限の到来後に通知することができなくなるため、指示情報に従って消費電力の削減を行う電力需要施設と消費電力の削減を行わない電力需要施設とを変更期限の到来時において確定させることができる。これにより、目標情報の示す目標を達成可能であるか否かの判断をより正確に行うことができる。そして、上記目標を達成することができないと判断した場合、たとえば上記目標の対象期間の開始までに適切な対策を講じることができる。したがって、電力需要施設における電力消費を管理し、電力系統側からの節電要請をより確実に満たすことができる。
【００３９】
（１０）本発明の実施の形態に係る電力消費管理プログラムは、電力需要施設における電力消費を管理する電力消費管理装置と、前記電力需要施設に設けられた需要家装置とを備える電力消費管理システムにおいて用いられる電力消費管理プログラムであって、コンピュータに、前記電力消費管理装置が、電力系統側から電力消費の目標を示す目標情報を取得し、取得した前記目標情報に基づいて、前記電力需要施設における電力消費に関する指示情報を前記需要家装置へ送信するステップと、前記需要家装置が、前記指示情報を前記電力消費管理装置から受信し、受信した前記指示情報に対する応答内容を示す指示応答情報を前記電力消費管理装置へ送信するステップとを実行させるためのプログラムであり、前記目標情報は、前記目標の対象期間を含み、さらに、コンピュータに、前記電力消費管理装置が、同じ前記対象期間に対応する前記指示情報に対して前記需要家装置が異なる前記応答内容を示す前記指示応答情報を自己へ送信できる変更期限を設定するステップを実行させるためのプログラムである。
【００４０】
このように、変更期限を設定する構成により、たとえば、需要家装置は内容を変更した指示応答情報を変更期限の到来後に送信することができなくなるため、指示情報に従って消費電力の削減を行う電力需要施設と消費電力の削減を行わない電力需要施設とを変更期限の到来時において確定させることができる。これにより、目標情報の示す目標を達成可能であるか否かの判断をより正確に行うことができる。そして、上記目標を達成することができないと判断した場合、たとえば上記目標の対象期間の開始までに適切な対策を講じることができる。したがって、電力需要施設における電力消費を管理し、電力系統側からの節電要請をより確実に満たすことができる。
【００４１】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００４２】
［構成および基本動作］
図１は、本発明の実施の形態に係る電力消費管理システムの概要を説明するための図である。
【００４３】
図１を参照して、電力会社または系統運用会社等である電力系統側５は、アグリゲータ６に対して節電要請を行う。アグリゲータ６は、電力系統側５からの節電要請を受けて各電力需要施設７に節電要請を行う。電力需要施設７は、住宅、ビルまたは工場等である。
【００４４】
各電力需要施設７において節電が行われることにより、各電力需要施設７はアグリゲータ６へネガワットすなわち削減された消費電力を提供する。アグリゲータ６は、各電力需要施設７から提供されたネガワットを電力系統側５へ提供する。
【００４５】
これに対して、電力系統側５は、アグリゲータ６へインセンティブすなわち節電の対価を支払う。アグリゲータ６は、電力系統側５から受けた当該対価を各電力需要施設７へ分配する。
【００４６】
図２は、本発明の実施の形態に係る電力消費管理システムの構成を示す図である。
【００４７】
図２を参照して、電力消費管理システム１は、系統側管理装置１０１と、電力消費管理装置２０１と、複数の需要家装置３０１とを備える。
【００４８】
系統側管理装置１０１は、電力系統側５によって運用され、電力消費に関する目標情報を電力消費管理装置２０１へ送信する。目標情報は、たとえば、電力消費の目標、および節電が必要な期間すなわち当該目標の対象期間を示す。なお、目標情報は、たとえば、電気料金の時間別の単価、または消費電力の削減量に応じてアグリゲータ６に支払われる対価の内容を含んでもよい。以下、目標情報の示す電力消費の目標を系統側目標とも称する。
【００４９】
需要家装置３０１は、電力需要施設７に設けられる。需要家装置３０１は、電力需要施設７における電気機器の動作を制御することによって消費電力の削減を図るためのＢＥＭＳまたはＨＥＭＳ等のシステムにおいて用いられる装置であり、たとえばアグリゲータ６によって導入される。
【００５０】
電力消費管理装置２０１は、たとえばアグリゲータ６によって運用され、１または複数の需要家装置３０１と通信を行なうことにより、需要家装置３０１が設置された各電力需要施設７における電力消費を管理する。
【００５１】
具体的には、電力消費管理装置２０１は、系統側管理装置１０１から受信した目標情報に基づいて、電力需要施設７における電力消費に関する指示情報を作成し、１または複数の需要家装置３０１へ通知する。
【００５２】
指示情報は、たとえば節電イベントの内容を示す。つまり、指示情報は、電力消費を抑制すべき節電期間、および当該節電期間において削減すべき消費電力量である節電目標を示す。指示情報の示す節電期間は、系統側目標の対象期間と対応する。たとえば、指示情報の示す節電期間は、系統側目標の対象期間と同一の期間である。
【００５３】
なお、節電目標は、削減すべき消費電力量に限らず、たとえば削減率または削減割合であってもよいし、節電期間中の消費電力の上限値等であってもよい。また、指示情報は、電気料金の単価等の情報を含んでもよい。
【００５４】
電力消費管理装置２０１は、各需要家装置３０１における電力消費等の情報を収集して保持する。具体的には、たとえば、需要家装置３０１は、自己が設置された電力需要施設７における消費電力を示す電力消費情報を電力消費管理装置２０１へ定期的または不定期に送信する。電力消費管理装置２０１は、需要家装置３０１から受信した電力消費情報の内容を保持する処理を行う。
【００５５】
需要家装置３０１は、電力消費管理装置２０１から指示情報を受信して、当該指示情報の内容を受け入れるか否かを示す指示応答情報を電力消費管理装置２０１へ送信する。具体的には、指示応答情報は、電力需要施設７が指示情報の示す節電イベントに参加するか否かを示す情報である。
【００５６】
電力需要施設７が節電イベントに参加するか否かは、当該電力需要施設７における需要家装置３０１が、たとえば需要家装置３０１の管理者によって事前に設定された内容に基づいて判断する。なお、節電イベントに参加するか否かの判断は、たとえば当該管理者が直接行ってもよい。
【００５７】
電力消費管理装置２０１へ節電イベントに参加する旨を示す指示応答情報を送信した需要家装置３０１は、節電期間になると、指示情報に従って、自己の設置された電力需要施設７における消費電力を抑制する電力抑制処理を行う。具体的には、需要家装置３０１は、指示情報の示す節電期間になると、たとえば自動で自己の設置された電力需要施設７における機器を制御し、当該電力需要施設７における消費電力を削減することにより、指示情報の示す節電目標を達成しようとする。
【００５８】
電力消費管理装置２０１は、たとえば、１または複数の需要家装置３０１から節電イベントに参加しない旨を示す指示応答情報を受信し、系統側目標を達成することができないと判断すると、他の需要家装置３０１へ新たに指示情報を送信する。
【００５９】
なお、電力消費管理装置２０１は、系統側管理装置１０１および各需要家装置３０１と直接接続される構成に限らず、他の装置を介して系統側管理装置１０１および各需要家装置３０１と接続される構成であってもよい。
【００６０】
図３は、本発明の実施の形態に係る電力消費管理システムの適用例を示す図である。
【００６１】
図３を参照して、電力系統側５には、たとえばサーバである系統側管理装置１０１と、データベース１０２とが設けられている。アグリゲータ６の施設には、たとえばサーバである電力消費管理装置２０１と、データベース２０２と、Ｗｅｂサーバ２０３とが設けられている。電力需要施設７には、需要家装置３０１と、電力測定装置３０２と、リレー制御装置３０３と、分電盤３０４と、キュービクル３０５と、電力センサ３０６と、電力センサ３０７と、リモコンリレー３０８と、照明系統３０９と、コンセント系統３１０と、空調動力３１１と、通信端末装置３１２とが設けられている。通信端末装置３１２は、たとえばパソコンまたはスマートフォンであり、電力需要施設７に限らず、他の場所において設置または使用されてもよい。
【００６２】
系統側管理装置１０１は、たとえば翌日の電力需要を予測し、電力需給が逼迫する可能性が高い場合、データベース１０２に保存された情報等に基づいて目標情報を作成し、作成した目標情報をインターネット経由で電力消費管理装置２０１へ送信する。
【００６３】
電力消費管理装置２０１は、系統側管理装置１０１から受信した目標情報、およびデータベース２０２に保存された各種情報等に基づいて指示情報を作成し、作成した指示情報をインターネット経由で１または複数の需要家装置３０１へ送信する。また、Ｗｅｂサーバ２０３は、通信端末装置３１２へインターネット経由で各種情報を送信することができる。
【００６４】
需要家装置３０１は、たとえば、電力消費管理装置２０１から受信した指示情報に基づいて、自己の設置された電力需要施設７における負荷を制御する。
【００６５】
具体的には、たとえば、需要家装置３０１は、リレー制御装置３０３経由でリモコンリレー３０８を制御することにより、たとえばエアコンである空調動力３１１の動作内容を切り替え、空調動力３１１における消費電力を調整する。
【００６６】
空調動力３１１は、キュービクル３０５から電力供給を受けて、電力需要家施設の空調を行う。キュービクル３０５は、変電所から供給される高電圧を電力需要家施設で使用できる低電圧に変圧する受電設備である。
【００６７】
電力センサ３０７は、空調動力３１１における消費電力を測定して、測定結果を電力測定装置３０２へ出力する。
【００６８】
照明系統３０９およびコンセント系統３１０は、分電盤３０４からの電力供給を受ける。
電力センサ３０６は、照明系統３０９およびコンセント系統３１０における消費電力を測定して、測定結果を電力測定装置３０２へ出力する。
【００６９】
電力測定装置３０２は、電力センサ３０６および電力センサ３０７から受けた各測定結果に基づいて、電力需要施設７における消費電力を示す電力消費情報をたとえば定期的に作成し、需要家装置３０１へ出力する。
【００７０】
需要家装置３０１は、電力測定装置３０２から受けた電力消費情報をインターネット経由で電力消費管理装置２０１へ送信する。なお、電力測定装置３０２は、電力消費情報を、需要家装置３０１を介さずに電力消費管理装置２０１へ送信する構成であってもよい。また、電力測定装置３０２は、電力消費情報を電力消費管理装置２０１へ送信する構成に限らず、系統側管理装置１０１へ送信する構成であってもよい。
【００７１】
また、電力消費管理装置２０１は、空調動力３１１のような電力需要施設７における負荷の制御内容を示す指示情報を需要家装置３０１へ送信する構成であってもよい。この場合、電力消費管理装置２０１は、たとえば、上記制御内容を需要家装置３０１ごとに区別してデータベース２０２に保存する。
【００７２】
電力消費管理装置２０１は、需要家装置３０１から取得した電力消費情報をデータベース２０２に保存する。また、電力消費管理装置２０１は、インターネット等から各種情報、たとえば、需要家施設の地域における気温、湿度および天候等の過去の気象情報および気象予報情報を取得してデータベース２０２に保存してもよい。
【００７３】
ここで、系統側管理装置１０１と電力消費管理装置２０１との通信、および電力消費管理装置２０１と需要家装置３０１との通信は、たとえば、国際規格であるＯｐｅｎＡＤＲ２．０で規定された通信プロトコルに従って行われる。
【００７４】
ＯｐｅｎＡＤＲ２．０では、節電要請の送信側および受信側は、それぞれＶＴＮ（Ｖｉｒｔｕａｌ  Ｔｏｐ  Ｎｏｄｅ）およびＶＥＮ（Ｖｉｒｔｕａｌ  Ｅｎｄ  Ｎｏｄｅ）としてモデル化されている。
【００７５】
たとえば、系統側管理装置１０１および電力消費管理装置２０１の関係においては、系統側管理装置１０１がＶＴＮであり、電力消費管理装置２０１がＶＥＮである。また、電力消費管理装置２０１および需要家装置３０１の関係においては、電力消費管理装置２０１がＶＴＮであり、需要家装置３０１がＶＥＮである。
【００７６】
図４は、本発明の実施の形態に係る電力消費管理システムにおける通信プロトコルの一例を示す図である。
【００７７】
図４を参照して、ＯｐｅｎＡＤＲ２．０では、ＶＴＮとＶＥＮとの通信は、ＸＭＰＰ（Ｅｘｔｅｎｓｉｂｌｅ  Ｍｅｓｓａｇｉｎｇ  ａｎｄ  Ｐｒｅｓｅｎｃｅ Ｐｒｏｔｏｃｏｌ）またはＨＴＴＰ（Ｈｙｐｅｒｔｅｘｔ  Ｔｒａｎｓｆｅｒ  Ｐｒｏｔｏｃｏｌ）と、ＴＬＳ（Ｔｒａｎｓｐｏｒｔ  Ｌａｙｅｒ  Ｓｅｃｕｒｉｔｙ）と、ＴＣＰ／ＩＰ（Ｔｒａｎｓｍｉｓｓｉｏｎ  Ｃｏｎｔｒｏl  Ｐｒｏｔｏｃｏｌ／Ｉｎｔｅｒｎｅｔ  Ｐｒｏｔｏｃｏｌ）とに従って行われる。また、メッセージは、ＸＭＬ（Ｅｘｔｅｎｓｉｂｌｅ  Ｍａｒｋｕｐ  Ｌａｎｇｕａｇｅ）で記述され、メッセージのデータ構造はＸＳＤ（ＸＭＬ  Ｓｃｈｅｍａ  Ｄｅｆｉｎｉｔｉｏｎ）で定義される。
【００７８】
図５は、本発明の実施の形態に係る電力消費管理システムにおける指示情報および指示応答情報の送信処理のシーケンスの一例を示す図である。
【００７９】
需要家装置３０１は、たとえば定期的に電力消費管理装置２０１に対してポーリングを行う。電力消費管理装置２０１は、目標情報に基づいて指示情報を作成する等、指示情報の送信準備を行う。電力消費管理装置２０１は、指示情報の送信準備が完了した状態（以下、送信待機状態とも称する。）において需要家装置３０１からのポーリングを受けると、当該指示情報を当該需要家装置３０１へ送信する。
【００８０】
電力消費管理装置２０１は、需要家装置３０１からのポーリングを受けるたびに需要家装置３０１へ指示情報を送信する。
【００８１】
電力消費管理装置２０１が送信する指示情報には、たとえば、当該指示情報の示す節電イベントに参加するか否かの応答を要求する指示情報（以下、要応答指示情報とも称する。）と、当該指示情報の示す節電イベントに参加するか否かの応答を要求しない指示情報（以下、不要応答指示情報とも称する。）とがある。
【００８２】
具体的には、要応答指示情報は、節電イベントに参加するか否かを示す指示応答情報の送信が必要である旨を含む指示情報である。需要家装置３０１は、電力消費管理装置２０１から受信した要応答指示情報に対して、電力消費管理装置２０１へ指示応答情報を送信する。
【００８３】
一方、不要応答指示情報は、節電イベントに参加するか否かを示す指示応答情報の送信が不要である旨を含む指示情報である。需要家装置３０１は、電力消費管理装置２０１から受信した不要応答指示情報に対して、電力消費管理装置２０１へ指示応答情報を送信しない。
【００８４】
また、需要家装置３０１は、電力消費管理装置２０１からの要応答指示情報を受信すると、応答期限が経過するまでの間に電力消費管理装置２０１へ指示応答情報を送信することが要求される。
【００８５】
具体的には、電力消費管理装置２０１は、応答期限を示す応答期限情報を要応答指示情報に含めて需要家装置３０１へ送信する。需要家装置３０１は、要応答指示情報を受信して、当該要応答指示情報に含まれる応答期限情報の示す応答期限までに指示応答情報を送信する。
【００８６】
応答期限は、たとえば、電力消費管理装置２０１が要応答指示情報を送信した時点を起点とする。以下、電力消費管理装置２０１が要応答指示情報を送信した時点から応答期限までの時間を規定応答時間とも称する。
【００８７】
具体的には、図５を参照して、需要家装置３０１は、電力消費管理装置２０１に対するポーリングとして、電力消費管理装置２０１へ送信要求情報を送信する（ステップＳ１１）。
【００８８】
次に、電力消費管理装置２０１は、送信待機状態において需要家装置３０１からの送信要求情報を受信すると、要応答指示情報を当該需要家装置３０１へ送信する（ステップＳ１２）。
【００８９】
次に、需要家装置３０１は、電力消費管理装置２０１から要応答指示情報を受信すると、当該要応答指示情報を受信してから規定応答時間が経過するまでに、すなわち応答期限が到来するまでに、当該要応答指示情報の示す節電イベントに参加するか否かを示す指示応答情報を電力消費管理装置２０１へ送信する（ステップＳ１３）。ここでは、需要家装置３０１は、節電イベントに参加する旨を示す指示応答情報（以下、参加情報とも称する。）を電力消費管理装置２０１へ送信する。なお、規定応答時間は、たとえば需要家装置３０１ごとに設定される時間であり、たとえば１０分程度の時間である。
【００９０】
次に、電力消費管理装置２０１は、需要家装置３０１から指示応答情報を受信して、正しく情報を受信できた旨を示す受信応答情報を需要家装置３０１へ送信する（ステップＳ１４）。
【００９１】
需要家装置３０１は、上述のように、電力消費管理装置２０１に対して定期的にポーリングを行う。したがって、需要家装置３０１は、ステップＳ１１の送信要求情報の送信から、所定時間経過後に再び電力消費管理装置２０１へ送信要求情報を送信する（ステップＳ１５）。送信要求情報の送信周期は、需要家装置３０１ごとに異なる場合があり、たとえば３０分程度の時間である。
【００９２】
次に、電力消費管理装置２０１は、需要家装置３０１から送信要求情報を受信して、節電イベントの内容を示す要応答指示情報を需要家装置３０１へ送信する（ステップＳ１６）。電力消費管理装置２０１が送信する要応答指示情報の内容は、ステップＳ１２において電力消費管理装置２０１が送信した要応答指示情報の内容と同じである。
【００９３】
なお、電力消費管理装置２０１は、ステップＳ１２において送信した要応答指示情報と異なる内容の要応答指示情報を送信してもよい。
【００９４】
次に、需要家装置３０１は、電力消費管理装置２０１から要応答指示情報を受信すると、当該要応答指示情報を受信してから規定応答時間が経過するまでに当該要応答指示情報の示す節電イベントに参加するか否かを示す指示応答情報を電力消費管理装置２０１へ送信する（ステップＳ１７）。
【００９５】
需要家装置３０１は、ステップＳ１３において、要応答指示情報の示す節電イベントに参加する旨を示す指示応答情報すなわち参加情報を送信したが、ここでは、節電イベントに参加しない旨を示す指示応答情報（以下、不参加情報とも称する。）を送信する。このように、需要家装置３０１は、電力消費管理装置２０１へ参加情報を送信した後、内容を変更して不参加情報を送信することができる。
【００９６】
次に、電力消費管理装置２０１は、需要家装置３０１から指示応答情報を受信して、正しく情報を受信できた旨を示す受信応答情報を需要家装置３０１へ送信する（ステップＳ１８）。
【００９７】
なお、需要家装置３０１は、ポーリングとして送信要求情報を送信する構成に限らず、電力消費管理装置２０１へ情報の送信を要求する場合に送信要求情報を送信する構成であればよい。また、需要家装置３０１は、送信要求情報を定期的に送信する構成に限らず、送信要求情報を不定期に送信する構成であってもよい。
【００９８】
電力消費管理装置２０１は、各需要家装置３０１から受信した参加情報または不参加情報に基づいて、系統側目標を達成できるか否かを判断する。
【００９９】
具体的には、電力消費管理装置２０１は、参加情報を自己に送信した需要家装置３０１の設置された電力需要施設７においては、指示情報に従って消費電力の削減が行われると推定する。より具体的には、電力消費管理装置２０１は、当該電力需要施設７においては、指示情報の示す節電期間において当該指示情報の示す節電目標が達成されると推定する。
【０１００】
一方、電力消費管理装置２０１は、不参加情報を自己に送信した需要家装置３０１の設置された電力需要施設７においては、指示情報に示す節電期間において消費電力の削減が行われないと推定する。
【０１０１】
また、電力消費管理装置２０１は、要応答指示情報を需要家装置３０１へ送信してから応答期限が到来するまでの間に当該需要家装置３０１からの指示応答情報が到着しない場合、当該需要家装置３０１から不参加情報を受信したとみなす。すなわち、電力消費管理装置２０１は、当該需要家装置３０１の設置された電力需要施設７においては、指示情報に示す節電期間において消費電力の削減が行われないと推定する。
【０１０２】
電力消費管理装置２０１は、各需要家装置３０１の設置された電力需要施設７における消費電力の推定削減量の合計値（以下、削減量合計値とも称する。）に基づいて、系統側目標を達成できるか否かを判断する。
【０１０３】
電力消費管理装置２０１は、系統側目標を達成できるか否かの判断をたとえば節電期間の開始の所定時間前の判断時刻ｔｊにおいて行う。そして、電力消費管理装置２０１は、系統側目標を達成できないと判断した場合、新たな対策を講じる。
【０１０４】
具体的には、たとえば、電力消費管理装置２０１は、系統側目標を達成できないと判断した場合、指示情報の送信先とした需要家装置３０１以外の需要家装置３０１へ新たに指示情報を送信することにより、系統側目標を達成しようとする。以下、電力消費管理装置２０１が系統側目標を達成できないと判断した場合における新たな指示情報の送信先の需要家装置３０１を予備需要家装置とも称する。
【０１０５】
ここで、需要家装置３０１は、上述のように、電力消費管理装置２０１へ参加情報を送信した後、電力消費管理装置２０１へ不参加情報を送信することができる。
【０１０６】
このため、電力消費管理装置２０１は、自己に参加情報を送信した需要家装置３０１がたとえば節電期間の開始直前に不参加情報を新たに送信してきた場合、節電期間の開始直前にも関わらず系統側目標を達成できないと判断し直さなければならない可能性がある。
【０１０７】
このような場合、電力消費管理装置２０１が予備需要家装置へ新たに指示情報を送信したとしても、当該予備需要家装置による電力抑制処理の開始が節電期間の開始に間に合わないことがある。そして、これにより、電力消費管理装置２０１が系統側目標を達成できない場合がある。
【０１０８】
そこで、電力消費管理装置２０１は、需要家装置３０１が指示応答情報をたとえば参加情報から不参加情報へ変更することができる期限である変更期限を設定する。そして、電力消費管理装置２０１は、系統側目標を達成できるか否かの判断を変更期限の到来時または到来後に行う。つまり、変更期限は、判断時刻ｔｊ以前の時刻に設定される。
【０１０９】
図６は、本発明の実施の形態に係る電力消費管理装置の構成を示す図である。
【０１１０】
図６を参照して、電力消費管理装置２０１は、系統側通信部２１と、処理部２２と、需要家通信部２３とを備える。処理部２２は、指示部１１と、表示情報作成部１５と、消費情報取得部１６と、提示部１８と、応答情報取得部１９と、目標情報取得部３０と、期限管理部３１と、削減量計算部３２と、判断部３３とを含む。
【０１１１】
系統側通信部２１は、所定の通信プロトコルたとえばＯｐｅｎＡＤＲ２．０で規定された通信プロトコルに従って電力系統側５における系統側管理装置１０１と通信する。具体的には、電力消費管理装置２０１における各ユニットが系統側通信部２１経由で行う通信は、たとえばＯｐｅｎＡＤＲ２．０で規定された通信プロトコルに従って行われる。
【０１１２】
また、需要家通信部２３は、所定の通信プロトコルたとえばＯｐｅｎＡＤＲ２．０で規定された通信プロトコルに従って電力需要施設７における需要家装置３０１と通信する。具体的には、電力消費管理装置２０１における各ユニットが系統側通信部２１経由で行う通信は、たとえばＯｐｅｎＡＤＲ２．０で規定された通信プロトコルに従って行われる。
【０１１３】
消費情報取得部１６は、需要家装置３０１から需要家通信部２３経由で電力消費情報を受信し、受信した電力消費情報の内容をたとえばデータベース２０２に保存する。
【０１１４】
目標情報取得部３０は、電力系統側５から電力消費の目標を示す目標情報を取得する。具体的には、目標情報取得部３０は、系統側管理装置１０１から送信された目標情報を系統側通信部２１経由で受信して、指示部１１および判断部３３へ出力する。
【０１１５】
指示部１１は、目標情報取得部３０から受けた目標情報に基づいて、電力需要施設７における電力消費に関する指示情報を作成し、電力需要施設７に通知する。
【０１１６】
具体的には、たとえば、指示部１１は、目標情報取得部３０から目標情報を受けると、要応答指示情報を送信すべき需要家装置３０１、および予備需要家装置を設定する。そして、指示部１１は、設定した需要家装置３０１および予備需要家装置のＩＤ等の情報を期限管理部３１へ出力する。
【０１１７】
指示部１１は、目標情報取得部３０から受けた目標情報、およびデータベース２０２に保存されている各種情報に基づいて要応答指示情報を作成する。
【０１１８】
指示部１１は、作成した要応答指示情報を期限管理部３１、削減量計算部３２および表示情報作成部１５へ出力する。
【０１１９】
［応答期限］
指示部１１は、需要家装置３０１からたとえば定期的または不定期に送信される送信要求情報を需要家通信部２３経由で受信すると、作成した要応答指示情報を当該需要家装置３０１へ送信する。指示部１１は、需要家装置３０１へ要応答指示情報を送信する際、需要家装置３０１の応答期限を示す応答期限情報を当該要応答指示情報に含めて送信する。
【０１２０】
期限管理部３１は、目標情報に関する期限として応答期限を設定し、設定した応答期限を示す応答期限情報を作成する。具体的には、期限管理部３１は、需要家装置３０１および予備需要家装置のＩＤ等の情報を指示部１１から受けて、当該需要家装置３０１および当該予備需要家装置の応答期限を設定し、設定した応答期限を示す応答期限情報を指示部１１へ出力する。
【０１２１】
応答情報取得部１９は、指示部１１から送信された要応答指示情報に対する応答内容を示す指示応答情報を電力需要施設７から取得する。具体的には、応答情報取得部１９は、各電力需要施設７における需要家装置３０１から指示応答情報を需要家通信部２３経由で受信して表示情報作成部１５および削減量計算部３２へ出力する。
【０１２２】
削減量計算部３２は、指示部１１から受けた要応答指示情報の内容、および応答情報取得部１９から受けた各需要家装置３０１からの指示応答情報の内容に基づいて、たとえば削減量合計値を算出し、算出した削減量合計値を示す削減合計情報を判断部３３へ出力する。
【０１２３】
判断部３３は、目標情報取得部３０から受けた目標情報、および削減量計算部３２から受けた削減合計情報に基づいて、系統側目標を達成しているか否かの判断を行う。判断部３３は、たとえば定期的に当該判断を行い、判断結果を示す判断結果情報を指示部１１へ出力する。
【０１２４】
なお、応答情報取得部１９は、指示部１１が需要家装置３０１へ要応答指示情報を送信してから応答期限が経過するまでの間に当該需要家装置３０１からの指示応答情報が自己に到着しない場合、たとえば当該需要家装置３０１から不参加情報を受信したとみなして処理を行う。具体的には、応答情報取得部１９は、当該処理として、たとえば自ら当該需要家装置３０１の不参加情報を作成して削減量計算部３２へ出力する。
【０１２５】
［変更期限］
期限管理部３１は、同じ対象期間に対応する要応答指示情報、すなわち同じ期間を対象期間とする目標情報に対応する要応答指示情報に対して、電力需要施設７が異なる応答内容を示す指示応答情報を自己の電力消費管理装置２０１に通知できる期限である変更期限を設定する。
【０１２６】
具体的には、たとえば、電力消費管理装置２０１は、１つの目標情報を受信して、当該目標情報に対応する要応答指示情報を図５に示すように需要家装置３０１へ繰り返し送信する。需要家装置３０１は、電力消費管理装置２０１から要応答指示情報を受信するたびに電力消費管理装置２０１へ指示応答情報を送信する。
【０１２７】
電力消費管理装置２０１の期限管理部３１は、需要家装置３０１が指示応答情報をたとえば参加情報から不参加情報へ変更することができる期限である変更期限を目標情報の示す対象期間の開始から所定時間前に設定する。
【０１２８】
より具体的には、たとえば、期限管理部３１は、自己が設定した予備需要家装置の応答期限までの長さすなわち規定応答時間に、たとえばデータベース２０２から取得した当該予備需要家装置の送信要求情報の送信周期の長さを加算して最大応答時間を得る。
【０１２９】
図７は、本発明の実施の形態に係る電力消費管理システムにおける最大応答時間について説明するための図である。
【０１３０】
図７を参照して、需要家装置３０１である予備需要家装置は、上述のように、電力消費管理装置２０１へ定期的に送信要求情報を送信する。具体的には、電力消費管理装置２０１は、送信要求情報Ａを送信した（ステップＳ２０）後、送信要求情報の送信周期Ｔ１の経過後に送信要求情報Ｂを送信する（ステップＳ２２）。なお、送信要求情報Ａの内容および送信要求情報Ｂの内容はたとえば同一である。
【０１３１】
ここで、電力消費管理装置２０１は、予備需要家装置からの送信要求情報Ａを受信してから、予備需要家装置の送信要求情報の送信周期Ｔ１が経過するまでのある時点において、予備需要家装置への要応答指示情報の送信準備が完了した状態である送信待機状態へ遷移する（ステップＳ２１）。
【０１３２】
電力消費管理装置２０１は、送信待機状態において予備需要家装置からの送信要求情報Ｂを受信すると、受信してから時間Ｍ経過後に予備需要家装置へ要応答指示情報を送信する（ステップＳ２３）。
【０１３３】
予備需要家装置は、電力消費管理装置２０１から要応答指示情報を受信すると、応答期限までの期間におけるある時点、すなわち要応答指示情報を受信してから規定応答時間Ｔ２が経過するまでの期間におけるある時点において電力消費管理装置２０１へ指示応答情報を送信する（ステップＳ２４）。
【０１３４】
このように、電力消費管理装置２０１は、送信要求情報の送信周期Ｔ１、時間Ｍおよび規定応答時間Ｔ２を加算した時間である最大応答時間Ｕが経過するまでの間に、送信待機状態へ遷移し、予備需要家装置から送信要求情報を受信し、当該予備需要家装置へ応答指示情報を送信し、当該予備需要家装置から指示応答情報を受信する。
【０１３５】
すなわち、電力消費管理装置２０１は、通常、送信待機状態へ遷移してから遅くとも最大応答時間Ｕが経過するまでの間に、予備需要家装置から送信要求情報を受信し、当該予備需要家装置へ応答指示情報を送信し、当該予備需要家装置から指示応答情報を受信する。
【０１３６】
電力消費管理装置２０１は、節電期間の開始時刻より最大応答時間Ｕ前の時刻を変更期限に設定し、たとえば当該変更期限の時刻において送信待機状態へ遷移することにより、節電期間の開始までに予備需要家装置から指示応答情報を受信することができる。
【０１３７】
ここで、電力消費管理装置２０１が送信要求情報Ｂを受信してから要応答指示情報を送信するまでの時間である時間Ｍは、送信要求情報の送信周期Ｔ１および規定応答時間Ｔ２に比べて十分小さい。
【０１３８】
したがって、最大応答時間は、おおよそ、送信要求情報の送信周期Ｔ１および規定応答時間Ｔ２の加算値である。
【０１３９】
再び図６を参照して、期限管理部３１は、指示部１１から受けた要応答指示情報の示す節電期間を確認し、たとえば、節電期間の開始時刻より予備需要家装置の最大応答時間前の時刻を変更期限として設定する。
【０１４０】
そして、期限管理部３１は、設定した変更期限を示す変更期限情報を作成し、表示情報作成部１５へ出力する。
【０１４１】
表示情報作成部１５は、期限管理部３１によって設定された変更期限を示す画面の情報である表示情報を作成する。
【０１４２】
具体的には、表示情報作成部１５は、たとえば、節電イベントの番号、節電イベントの内容、各電力需要施設７における指示情報の受け入れの可否すなわち各電力需要施設７が要応答指示情報の示す節電イベントに参加するか否か、および変更期限を示す表示情報を作成する。なお、表示情報は、変更期限として、変更期限の時刻を示してもよいし、変更期限までの残り時間を示してもよい。
【０１４３】
表示情報作成部１５は、指示部１１から受けた要応答指示情報、応答情報取得部１９から受けた需要家装置３０１からの指示応答情報、および期限管理部３１から受けた変更期限情報に基づいて表示情報を作成する。
【０１４４】
提示部１８は、表示情報作成部１５から受けた表示情報を電力需要施設７の利用者、電力需要施設７の居住者または需要家装置３０１の管理者等であるユーザーに提示するための処理を行う。
【０１４５】
ここで、電力消費管理装置２０１と需要家装置３０１との間の通信たとえばＯｐｅｎＡＤＲ２．０で規定された通信プロトコルに従う通信では、表示情報および変更期限情報等、予め登録していない内容の情報を送受信することが困難である。
【０１４６】
したがって、提示部１８は、たとえば、表示情報をＷｅｂサーバ２０３経由でユーザーの通信端末装置３１２へ送信する。
【０１４７】
また、表示情報作成部１５は、表示情報を定期的または不定期に更新する。表示情報作成部１５は、表示情報を更新すると、更新後の表示情報をＷｅｂサーバ２０３へ出力する。
【０１４８】
図８は、本発明の実施の形態に係る電力消費管理システムにおいて、通信端末装置の画面に表示される内容の一例を示す図である。
【０１４９】
図８を参照して、画面には、表示情報の内容が表示されている。具体的には、当該画面には、節電イベントの番号と、節電イベントの対象の需要家装置３０１と、節電イベントの内容と、電力需要施設７の節電イベントへの参加状況つまり電力需要施設７が要応答指示情報の示す節電イベントに参加するか否かと、変更期限までの残り時間である応答残り時間とが表示されている。
【０１５０】
なお、期限管理部３１は、変更期限をＷｅｂサーバ２０３経由でユーザーに提示する構成に限らず、たとえば、変更期限情報を需要家通信部２３経由で需要家装置３０１へ送信することにより、変更期限をユーザーに提示する構成であってもよい。
【０１５１】
再び図６を参照して、期限管理部３１は、変更期限の到来を判断する。そして、期限管理部３１は、変更期限が到来したと判断すると、変更期限が到来した旨を示す期限到来情報を電力需要施設７へ通知する。
【０１５２】
具体的には、期限管理部３１は、変更期限が到来したと判断した場合、表示情報作成部１５へ期限到来情報を出力する。
【０１５３】
表示情報作成部１５は、期限管理部３１から期限到来情報を受けると、たとえば、表示情報に変更期限の到来を示す内容を加えて、提示部１８へ出力する。
【０１５４】
なお、期限管理部３１は、期限到来情報を需要家通信部２３経由で需要家装置３０１へ送信してもよい。また、期限管理部３１は、期限到来情報を指示部１１へ出力する。
【０１５５】
指示部１１は、変更期限の到来時に、系統側目標を達成することができるか否かを判断する。なお、指示部１１は、変更期限の到来後に、系統側目標を達成することができるか否かを判断する構成であってもよい。
【０１５６】
具体的には、たとえば、指示部１１は、期限管理部３１から期限到来情報を受けて、判断部３３から受けた直近の判断結果情報の内容を確認する。そして、指示部１１は、当該判断結果情報が系統側目標を達成していない旨を示す場合、系統側目標を達成することができないと判断する。
【０１５７】
そして、指示部１１は、系統側目標を達成することができないと判断した場合において予備需要家装置から送信要求情報を受信すると、要応答指示情報を当該予備需要家装置へ送信する。指示部１１は、要応答指示情報を予備需要家装置へ送信する際、期限管理部３１によって設定された予備需要家装置の応答期限を示す応答期限情報を要応答指示情報に含めて送信する。
【０１５８】
また、指示部１１は、変更期限が到来した後、すなわち期限管理部３１から期限到来情報を受けた後において、予備需要家装置以外の需要家装置３０１から送信要求情報を受信した場合、指示応答情報の送信が不要である旨を含む指示情報すなわち不要応答指示情報を当該需要家装置３０１へ送信する。
【０１５９】
なお、指示部１１が予備需要家装置に送信する要応答指示情報の内容は、既に他の需要家装置３０１へ送信した要応答指示情報の内容と同じであってもよいし、異なっていてもよい。
【０１６０】
また、応答情報取得部１９は、需要家装置３０１からの指示応答情報を削減量計算部３２へ出力する構成に限らず、判断部３３へ出力する構成であってもよい。この場合、判断部３３は、応答情報取得部１９からの指示応答情報に基づいて、系統側目標を達成可能か否かの判断を行う。具体的には、たとえば、判断部３３は、応答情報取得部１９が所定数以上の需要家装置３０１から変更期限の到来前に指示応答情報を取得できない場合、系統側目標を達成できないと判断する。
【０１６１】
図９は、本発明の実施の形態に係る電力消費管理システムにおいて、予備需要家装置へ要応答指示情報が送信されるタイミングを説明するための図である。
【０１６２】
図９を参照して、指示部１１は、時刻ｔ１において、需要家装置３０１へ要応答指示情報を送信する。期限管理部３１は、節電期間が開始される時刻ｔ３よりも予備需要家装置の最大応答時間前の時刻ｔ２を変更期限として設定する。指示部１１は、変更期限が到来した後に予備需要家装置から送信要求情報を受信すると、当該予備需要家装置へ要応答指示情報を送信する。
【０１６３】
このように変更期限を設けることにより、電力消費管理装置２０１は、変更期限の時刻から節電期間の開始時刻までの間において、予備需要家装置からの送信要求情報を受信し、当該予備需要家装置へ要応答指示情報を送信し、当該予備需要家装置からの指示応答情報を受信することができる。
【０１６４】
なお、期限管理部３１は、時刻ｔ２よりも前の時刻を変更期限として設定してもよいし、時刻ｔ２よりも後の時刻を変更期限として設定してもよい。
【０１６５】
また、期限管理部３１は、予備需要家装置が複数存在する場合、たとえば、各予備需要家装置の最大応答時間の中で最も長い最大応答時間を用いて変更期限を設定する。
【０１６６】
［動作］
次に、本発明の実施の形態に係る電力消費管理システムの電力消費抑制処理について説明する。
【０１６７】
電力消費管理システムにおける各装置は、コンピュータを備え、当該コンピュータにおけるＣＰＵ等の演算処理部は、以下のフローチャートおよびシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１６８】
図１０は、本発明の実施の形態に係る電力消費管理システムにおける電力消費抑制処理のシーケンスの一例を示す図である。
【０１６９】
図１０を参照して、まず、系統側管理装置１０１は、たとえば翌日の電力需要を予測し、電力需給が逼迫する可能性が高い場合、電力消費の抑制を行なうべきであると判断する（ステップＳ５１）。
【０１７０】
より詳細には、系統側管理装置１０１は、たとえば、既知の需要予測技術を用いて、具体的にはニューラルネットワークまたは自己回帰分析等の技術を用いて、全体的な電力需要を予測する。あるいは、系統側管理装置１０１は、たとえば、過去Ｘ日分の消費電力量のデータから、特異日を除いたＹ日分の消費電力量の平均値を算出する。
【０１７１】
次に、系統側管理装置１０１は、電力消費に関する目標情報を電力消費管理装置２０１へ送信する（ステップＳ５２）。目標情報は、たとえば、系統側目標および系統側目標の対象期間を示す。電力消費管理装置２０１は、系統側管理装置１０１から目標情報を受信して、受信した目標情報に基づいて要応答指示情報を作成する。
【０１７２】
次に、電力消費管理装置２０１は、要応答指示情報の送信先の需要家装置３０１、および予備需要家装置を設定し、当該需要家装置３０１および当該予備需要家装置の応答期限を設定する（ステップＳ５３）。ここでは、電力消費管理装置２０１は、要応答指示情報の送信先の需要家装置３０１として、需要家装置３０１Ａおよび需要家装置３０１Ｂを設定する。
【０１７３】
なお、電力消費管理装置２０１は、系統側管理装置１０１から目標情報を受信する前に予め需要家装置３０１および予備需要家装置の応答期限を設定する構成であってもよい。
【０１７４】
次に、電力消費管理装置２０１は、たとえば系統側管理装置１０１から受信した目標情報に基づいて変更期限を設定する（ステップＳ５４）。
【０１７５】
次に、電力消費管理装置２０１は、節電イベントの内容、変更期限、および電力需要施設７の節電イベントへの参加状況等を示す画面の情報である表示情報を作成し（ステップＳ５５）、作成した表示情報をＷｅｂサーバ２０３へ送信する（ステップＳ５６）。
【０１７６】
Ｗｅｂサーバ２０３は、電力消費管理装置２０１から表示情報を受信して、受信した表示情報をたとえばユーザーの通信端末装置３１２へ送信する（ステップＳ５７）。
【０１７７】
ここで、電力消費管理装置２０１は、表示情報を定期的または不定期に更新し、更新後の表示情報をＷｅｂサーバ２０３へ送信する。Ｗｅｂサーバ２０３は、更新後の表示情報を電力消費管理装置２０１から受信すると、受信した表示情報を通信端末装置３１２へ送信する。
【０１７８】
次に、電力消費管理装置２０１は、需要家装置３０１Ａから送信要求情報を受信すると（ステップＳ５８）、需要家装置３０１Ａへ要応答指示情報を送信する（ステップＳ５９）。当該要応答指示情報には、需要家装置３０１Ａの応答期限を示す応答期限情報が含まれる。
【０１７９】
需要家装置３０１Ａは、電力消費管理装置２０１から要応答指示情報を受信して、当該要応答指示情報の示す節電イベントに参加するか否かを示す指示応答情報を、応答期限の到来前に電力消費管理装置２０１へ送信する（ステップＳ６０）。ここでは、需要家装置３０１Ａは、要応答指示情報の示す節電イベントに参加する旨を示す指示応答情報すなわち参加情報を電力消費管理装置２０１へ送信する。
【０１８０】
次に、電力消費管理装置２０１は、需要家装置３０１Ｂから送信要求情報を受信すると（ステップＳ６１）、需要家装置３０１Ｂへ要応答指示情報を送信する（ステップＳ６２）。当該要応答指示情報には、需要家装置３０１Ｂの応答期限を示す応答期限情報が含まれる。
【０１８１】
需要家装置３０１Ｂは、電力消費管理装置２０１から要応答指示情報を受信して、当該要応答指示情報の示す節電イベントに参加するか否かを示す指示応答情報を、応答期限の到来前に電力消費管理装置２０１へ送信する（ステップＳ６３）。ここでは、需要家装置３０１Ｂは、要応答指示情報の示す節電イベントに参加しない旨を示す指示応答情報である不参加情報を電力消費管理装置２０１へ送信する。
【０１８２】
次に、電力消費管理装置２０１は、予備需要家装置から送信要求情報を受信する（ステップＳ６４）。電力消費管理装置２０１は、変更期限の到来前において、予備需要家装置から送信要求情報を受信しても、当該予備需要家装置へ要応答指示情報を送信しない。
【０１８３】
なお、ステップＳ５８〜Ｓ６４の動作は、変更期限の到来までに複数回行われてもよい。この場合において、各需要家装置３０１は、電力消費管理装置２０１へ送信する指示応答情報を参加情報から不参加情報へ変更してもよいし、不参加情報から参加情報へ変更してもよい。
【０１８４】
また、電力消費管理装置２０１は、たとえば、１または複数の需要家装置３０１からの指示応答情報を受信した後に変更期限の設定（ステップＳ５４）、表示情報の作成（ステップＳ５５）、および表示情報の送信（ステップＳ５６）を行う構成であってもよい。
【０１８５】
次に、電力消費管理装置２０１は、たとえば内蔵した時計からの時刻情報を用いて変更期限が到来したと判断する（ステップＳ６５）。
【０１８６】
次に、電力消費管理装置２０１は、変更期限の到来前において電力消費管理装置２０１へ最後に送信した指示情報が参加情報であった各需要家装置３０１、の設置された電力需要施設７における削減量合計値に基づいて、系統側目標を達成することができるか否かを判断する（ステップＳ６６）。ここでは、電力消費管理装置２０１は、系統側目標を達成することができないと判断する。
【０１８７】
次に、電力消費管理装置２０１は、表示情報を更新し（ステップＳ６７）、更新後の表示情報をＷｅｂサーバ２０３へ送信する（ステップＳ６８）。更新後の表示情報は、たとえば変更期限が到来した旨を含む。
【０１８８】
次に、Ｗｅｂサーバ２０３は、更新後の表示情報を電力消費管理装置２０１から受信すると、受信した表示情報をたとえば通信端末装置３１２へ送信する（ステップＳ６９）。
【０１８９】
次に、電力消費管理装置２０１は、需要家装置３０１Ａから送信要求情報を受信すると（ステップＳ７０）、指示応答情報の送信が不要である旨を含む指示情報すなわち不要応答指示情報を変更期限が到来した旨を示す期限到来情報として需要家装置３０１Ａへ送信する（ステップＳ７１）。
【０１９０】
次に、電力消費管理装置２０１は、需要家装置３０１Ｂから送信要求情報を受信すると（ステップＳ７２）、需要家装置３０１Ｂへ不要応答指示情報を送信する（ステップＳ７３）。
【０１９１】
次に、電力消費管理装置２０１は、予備需要家装置から送信要求情報を受信すると（ステップＳ７４）、当該予備需要家装置へ要応答指示情報を送信する（ステップＳ７５）。当該要応答指示情報には、予備需要家装置の応答期限を示す情報が含まれる。
【０１９２】
次に、予備需要家装置は、電力消費管理装置２０１から要応答指示情報を受信して、当該要応答指示情報の示す節電イベントに参加するか否かを示す指示応答情報を、応答期限の到来までに電力消費管理装置２０１へ送信する（ステップＳ７６）。ここでは、予備需要家装置は、要応答指示情報の示す節電イベントに参加する旨を示す指示応答情報すなわち参加情報を電力消費管理装置２０１へ送信する。
【０１９３】
次に、電力消費管理装置２０１へ最後に送信した指示応答情報が参加情報であった需要家装置３０１は、節電期間が始まると自己の電力需要施設７におけるエアコン等の機器を制御して当該電力需要施設７における電力消費を抑制する（ステップＳ７７）。
【０１９４】
また、電力消費管理装置２０１へ参加情報を送信した予備需要家装置は、節電期間が始まると自己の電力需要施設７におけるエアコン等の機器を制御して当該電力需要施設７における電力消費を抑制する（ステップＳ７８）。
【０１９５】
なお、ステップＳ５２，Ｓ５８〜Ｓ６４，Ｓ７０〜Ｓ７６の動作は、たとえばＯｐｅｎＡＤＲ２．０で規定された所定の通信プロトコルに従って行われる。
【０１９６】
図１１は、本発明の実施の形態に係る電力消費管理システムにおける電力消費抑制処理のシーケンスの他の例を示す図である。
【０１９７】
図１１を参照して、ステップＳ８１〜Ｓ８４の動作は、図１０に示すＳ５１〜Ｓ５４の動作とそれぞれ同様である。
【０１９８】
次に、電力消費管理装置２０１は、設定した変更期限を示す変更期限情報を需要家装置３０１Ａおよび需要家装置３０１Ｂへ送信する（ステップＳ８５およびステップＳ８６）。
【０１９９】
ステップＳ８７〜ステップＳ９５の動作は、図１０に示すＳ５８〜Ｓ６６の動作とそれぞれ同様である。
【０２００】
次に、電力消費管理装置２０１は、需要家装置３０１Ａおよび需要家装置３０１Ｂへ変更期限が到来した旨を示す期限到来情報を送信する（ステップＳ９６およびステップＳ９７）。
【０２０１】
ステップＳ９８〜Ｓ１０６の動作は、図１０に示すステップＳ７０からＳ７８の動作とそれぞれ同様である。
【０２０２】
なお、電力消費管理装置２０１は、たとえば、１または複数の需要家装置３０１からの指示応答情報を受信した後に変更期限の設定（ステップＳ８４）を行う構成であってもよい。
【０２０３】
また、ステップＳ８２，Ｓ８５〜９３，Ｓ９６〜Ｓ１０４の動作は、たとえばＯｐｅｎＡＤＲ２．０で規定された所定の通信プロトコルに従って行われる。また、図１０および図１１に示す動作は、たとえば、図５に示す動作と並行して行われる。
【０２０４】
本発明の実施の形態に係る電力消費管理システム１は、指示応答情報の内容の変更が許容される電力消費管理システムである。具体的には、電力消費管理システム１では、需要家装置３０１は、変更期限の到来前において、既に電力消費管理装置２０１へ送信した指示応答情報とは異なる内容の指示応答情報を電力消費管理装置２０１へ送信することができる。すなわち、電力消費管理装置２０１は、変更期限の到来前においては、たとえば、需要家装置３０１から不参加情報を受信した場合であっても、予備需要家装置への要応答指示情報の送信等、系統側目標を達成するための他の処理を行わない。
【０２０５】
ところで、系統側事業者は、電力需給の逼迫が予測される場合に、アグリゲータに対して予め節電要請を行なう。そして、アグリゲータは、電力需要施設の需要家に対して節電要請を行なう。
【０２０６】
しかしながら、電力需要施設の需要家が節電要請の対象期間において電力消費の抑制を行なうことが困難な場合もある。アグリゲータは、このような場合においても、系統側事業者からの節電要請を満たすように電力需要施設における消費電力の削減量を確保する必要がある。
【０２０７】
これに対して、本発明の実施の形態に係る電力消費管理システムでは、電力消費管理装置２０１は、電力系統側５から電力消費の目標を示す目標情報を取得し、取得した目標情報に基づいて、電力需要施設７における電力消費に関する指示情報を需要家装置３０１へ送信する。需要家装置３０１は、指示情報を電力消費管理装置２０１から受信し、受信した指示情報に対する応答内容を示す指示応答情報を電力消費管理装置２０１へ送信する。目標情報は、上記目標の対象期間を含む。電力消費管理装置２０１は、同じ上記対象期間に対応する指示情報に対して需要家装置３０１が異なる応答内容を示す指示応答情報を自己へ送信できる変更期限を設定する。
【０２０８】
また、本発明の実施の形態に係る電力消費管理装置では、目標情報取得部２０は、電力系統側５から電力消費の目標を示す目標情報を取得する。期限管理部３１は、目標情報に関する期限を設定する。指示部１１は、目標情報に基づいて、電力需要施設７における電力消費に関する指示情報を電力需要施設７に通知する。応答情報取得部１９は、指示情報に対する応答内容を示す指示応答情報を電力需要施設７から取得する。目標情報は、上記目標の対象期間を含む。期限管理部３１は、同じ上記対象期間に対応する指示情報に対して電力需要施設７が異なる応答内容を示す指示応答情報を自己の電力消費管理装置２０１に通知できる変更期限を設定する。
【０２０９】
このように、変更期限を設定する構成により、たとえば、電力需要施設７に設置された需要家装置３０１は、内容を変更した指示応答情報を変更期限の到来後に送信することができなくなるため、指示情報に従って消費電力の削減を行う電力需要施設７と消費電力の削減を行わない電力需要施設７とを変更期限の到来時において確定させることができる。これにより、目標情報の示す目標を達成可能であるか否かの判断をより正確に行うことができる。そして、上記目標を達成することができないと判断した場合、たとえば上記目標の対象期間の開始までに適切な対策を講じることができる。
【０２１０】
したがって、本発明の実施の形態に係る電力消費管理システムおよび電力消費管理装置では、電力需要施設における電力消費を管理し、電力系統側からの節電要請をより確実に満たすことができる。
【０２１１】
また、本発明の実施の形態に係る電力消費管理装置では、表示情報作成部１５は、期限管理部３１によって設定された変更期限を示す画面の情報である表示情報を作成する。
【０２１２】
このような構成により、Ｗｅｂサイト等の汎用的な技術を用いて変更期限をユーザーに提示することができる。
【０２１３】
また、本発明の実施の形態に係る電力消費管理装置では、表示情報作成部１５は、電力需要施設７における指示情報の内容の受け入れの可否と変更期限とを示す画面の情報である表示情報を作成する。
【０２１４】
このような構成により、たとえば、上記対象期間においてユーザーの電力需要施設７における機器が制御され、電力消費が抑制される予定であるか否かを当該ユーザーに提示することができる。
【０２１５】
また、本発明の実施の形態に係る電力消費管理装置では、期限管理部３１は、変更期限の到来を判断する。当該電力消費管理装置は、期限管理部３１によって当該到来が判断された後、変更期限が到来した旨の期限到来情報を電力需要施設７に通知する。
【０２１６】
このような構成により、たとえば変更期限の到来後に、必要に応じて適切な対策を講じることができ、また、変更期限の到来をユーザーに認識させることができる。
【０２１７】
また、本発明の実施の形態に係る電力消費管理装置では、指示部１１は、電力需要施設７から情報の送信を要求するための送信要求情報の通知を受けて、指示情報を電力需要施設７に通知する。指示部１１は、変更期限の到来した後に送信要求情報の通知を受けた場合、指示応答情報の送信が不要である旨を含む指示情報を期限到来情報として電力需要施設７に通知する。
【０２１８】
このような構成により、たとえば、新たに情報を作成して送信することなく、電力消費管理装置２０１から電力需要施設７へ送信する既存の情報を用いて電力需要施設７に変更期限の到来を通知することができる。
【０２１９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２２０】
以上の説明は、以下に付記する特徴を含む。
【０２２１】
［付記１］
電力需要施設における電力消費を管理する電力消費管理装置であって、
電力系統側から電力消費の目標を示す目標情報を取得する目標情報取得部と、
前記目標情報に関する応答期限を設定する期限管理部と、
前記目標情報に基づいて、前記電力需要施設における電力消費に関する指示情報を前記電力需要施設に通知する指示部と、
前記指示情報に対する応答内容を示す指示応答情報を前記電力需要施設から取得する応答情報取得部とを備え、
前記目標情報は、前記目標の対象期間を含み、
前記期限管理部は、同じ前記対象期間に対応する前記指示情報に対して前記電力需要施設が異なる前記応答内容を示す前記指示応答情報を自己の電力消費管理装置に通知できる変更期限を設定し、
前記期限管理部は、前記対象期間の開始前の時刻を前記変更期限として設定し、
前記変更期限の到来までの間における前記応答内容の変更が許容されている、電力消費管理装置。
【０２２２】
［付記２］
電力需要施設における電力消費を管理する電力消費管理装置と、
前記電力需要施設に設けられた需要家装置とを備え、
前記電力消費管理装置は、電力系統側から電力消費の目標を示す目標情報を取得し、取得した前記目標情報に基づいて、前記電力需要施設における電力消費に関する指示情報を前記需要家装置へ送信し、
前記需要家装置は、前記指示情報を前記電力消費管理装置から受信し、受信した前記指示情報に対する応答内容を示す指示応答情報を前記電力消費管理装置へ送信し、
前記目標情報は、前記目標の対象期間を含み、
前記電力消費管理装置は、同じ前記対象期間に対応する前記指示情報に対して前記需要家装置が異なる前記応答内容を示す前記指示応答情報を自己へ送信できる変更期限を設定し、
前記電力消費管理装置は、前記対象期間の開始前の時刻を前記変更期限として設定し、
前記変更期限の到来までの間における前記応答内容の変更が許容されている、電力消費管理システム。
【符号の説明】
【０２２３】
１  電力消費管理システム
５  電力系統側
６  アグリゲータ
７  電力需要施設
１１  指示部
１５  表示情報作成部
１６  消費情報取得部
１８  提示部
１９  応答情報取得部
２１  系統側通信部
２２  処理部
２３  需要家通信部
３０  目標情報取得部
３１  期限管理部
３２  削減量計算部
３３  判断部
１０１  系統側管理装置
１０２  データベース
２０１  電力消費管理装置
２０２  データベース
２０３  Ｗｅｂサーバ
３０１  需要家装置
３０２  電力測定装置
３０３  リレー制御装置
３０４  分電盤
３０５  キュービクル
３０６  電力センサ
３０７  電力センサ
３０８  リモコンリレー
３０９  照明系統
３１０  コンセント系統
３１１  空調動力
３１２  通信端末装置
【図１】
2015226434.tif 000003
【図２】
2015226434.tif 000004
【図３】
2015226434.tif 000005
【図４】
2015226434.tif 000006
【図５】
2015226434.tif 000007
【図６】
2015226434.tif 000008
【図７】
2015226434.tif 000009
【図８】
2015226434.tif 000010
【図９】
2015226434.tif 000011
【図１０】
2015226434.tif 000012
【図１１】
2015226434.tif 000013